(57)【特許請求の範囲】
【請求項１】
縦方向および横方向と、身体側およびその反対側と、前ウエスト域、後ウエスト域および前記前後ウエスト域間に位置するクロッチ域を含むシャーシと、前記シャーシの前後端縁によって形成されたウエスト開口と、前記シャーシの両側縁によって形成されたレッグ開口と、少なくとも前記クロッチ域に位置する吸収体と、前記シャーシの前記身体側に位置し前記クロッチ域から前記前後ウエスト域へと延びて前記横方向に離間した一対のレッグカフとを有し、前記前後ウエスト域には、前記横方向に延びるとともに前記縦方向に離間した複数の前後ウエスト弾性体が伸長状態で収縮可能に取り付けられた使い捨て着用物品において、
前記シャーシは、前記身体側に位置する内面シートと、前記反対側に位置する外面シートとを有し、前記内外面シートの間に前記ウエスト弾性体が取り付けられ、
前記吸収体は、前記クロッチ域から前記前後ウエスト域に延在し、
前記レッグカフは、前記シャーシに接合される第１側域と、前記第１側域に対向するとともに前記シャーシから離間可能な第２側域と、前記第２側域に伸長状態で収縮可能に取り付けられたカフ弾性体とを有し、
前記前後ウエスト弾性体の少なくともいずれかは、前記吸収体の前記縦方向外側の前記シャーシに位置する第１弾性体と、前記横方向に沿って延び、前記縦方向に離間して複数取り付けられるとともに、前記横方向の中央部分が前記吸収体に重なる第２弾性体と、前記縦方向における離間寸法が前記第２弾性体よりも狭くなるように前記レッグ開口の少なくとも一部に沿って複数取り付けられ、少なくとも一部が前記横方向に沿って延びる第３弾性体とを有し、
前記前後ウエスト域の少なくともいずれかは、前記第１弾性体が取り付けられた第１領域と、前記第３弾性体において前記横方向に沿って延びる部分が取り付けられた第３領域と、前記第１および第３領域の間に位置し、前記第２弾性体が取り付けられた第２領域とを有し、
前記第１および第３領域の伸張応力は、前記第２領域のそれよりも大きく、
前記カフ弾性体は、少なくとも前記第１領域まで延在し、前記第１領域において前記第２側域の端縁が前記内面シートに接合されることを特徴とする前記使い捨て着用物品。
【請求項２】
縦方向および横方向と、身体側およびその反対側と、前ウエスト域、後ウエスト域および前記前後ウエスト域間に位置するクロッチ域を含むシャーシと、前記シャーシの前後端縁によって形成されたウエスト開口と、前記シャーシの両側縁によって形成されたレッグ開口と、少なくとも前記クロッチ域に位置する吸収体と、前記シャーシの前記身体側に位置し前記クロッチ域から前記前後ウエスト域へと延びて前記横方向に離間した一対のレッグカフとを有し、前記前後ウエスト域には、前記横方向に延びるとともに前記縦方向に離間した複数の前後ウエスト弾性体が伸長状態で収縮可能に取り付けられた使い捨て着用物品において、
前記シャーシは、前記身体側に位置する内面シートと、前記反対側に位置する外面シートとを有し、前記内外面シートの間に前記ウエスト弾性体が取り付けられ、
前記吸収体は、前記クロッチ域から前記前後ウエスト域に延在し、
前記レッグカフは、前記シャーシに接合される第１側域と、前記第１側域に対向するとともに前記シャーシから離間可能な第２側域と、前記第２側域に伸長状態で収縮可能に取り付けられたカフ弾性体とを有し、
前記前後ウエスト弾性体の少なくともいずれかは、前記吸収体の前記縦方向外側の前記シャーシに位置する第１弾性体と、前記レッグ開口の少なくとも一部に沿って取り付けられ、少なくとも一部が前記横方向に沿って延びる第３弾性体とを有し、
前記前後ウエスト域の少なくともいずれかは、前記第１弾性体が取り付けられた第１領域と、前記第３弾性体において前記横方向に沿って延びる部分が取り付けられた第３領域と、前記第１および第３領域の間に位置し、前記第３領域よりも前記縦方向の長さ寸法が大きく形成され、前記横方向に沿って延びる弾性体を有していない第２領域とを有し、
前記第１および第３領域の伸張応力は、前記第２領域のそれよりも大きく、
前記カフ弾性体は、少なくとも前記第１領域まで延在し、前記第２側域は、前記第１領域に重なる位置で前記内面シートに接合されることを特徴とする前記使い捨て着用物品。
【請求項３】
前記第１領域および前記第３領域の伸張応力は、０．５〜３．０Ｎ、前記第２領域の伸張応力は、０．１〜１．５Ｎである請求項１記載の使い捨て着用物品。
【請求項４】
前記第１〜第３領域の前記吸収体を含む剛性は、０．０５〜１．００Ｎ・ｃｍである請求項１〜３のいずれかに記載の使い捨て着用物品。
【請求項５】
前記吸収体は、吸液性の芯材を有し、少なくとも前記第３領域に重なる位置において前記芯材の量が他の部分よりも少なくされた減少部が形成される請求項１〜４のいずれかに記載の使い捨て着用物品。
【発明の詳細な説明】
【技術分野】
【０００１】
この発明は、使い捨て着用物品に関し、さらに詳しくはウエスト域に複数本の弾性体が取り付けられた使い捨てのおむつ、排泄トレーニングパンツ、失禁ブリーフ等の使い捨て着用物品に関する。
【背景技術】
【０００２】
従来、前後ウエスト域とこれらの間に位置するクロッチ域とを有し、少なくともクロッチ域に吸収体が取り付けられた使い捨ておむつが知られている。例えば、特許文献１によれば、伸長状態で収縮可能な弾性素子を第１〜第４経路に沿って取り付けることによって、吸収体がこれらの経路で囲まれるとともに、おむつの着衣側に膨らむわん形状をクロッチ域に形成することとしている。具体的には、第１および第２経路は、前ウエスト領域の一側縁から後ウエスト領域の反対側の側縁に延び縦中心線を横切る。第３および第４経路は、縦中心線に関して第１および第２経路の鏡像である。
【０００３】
第１〜第４経路に沿って取り付けられた弾性素子が収縮することによって、これらの間には、わん形状が形成され、わん形状の部分に尿等が一時的に収集されることによって、確実に吸収体に尿等を浸透させ、おむつから尿等が漏れるのを防止している。
【先行技術文献】
【特許文献】
【０００４】
【特許文献１】特表平１１−５０４８２５号公報（ＪＰ  Ｈ１１−５０４８２５  Ａ）
【発明の概要】
【発明が解決しようとする課題】
【０００５】
特許文献１のおむつでは、第１〜第４経路に沿って取り付けられた弾性素子が、４箇所で互いに交差する。弾性素子が交差した部分では、他の領域よりも着用者に対する締め付け力が大きくなり、部分的に着用者に強く接触し、刺激を与える可能性がある。
【０００６】
この発明は、着用者の肌に強い刺激を与えることなく、尿等の排泄物を一時的に留めることができるカップ形状部を有する使い捨て着用物品を提供することを課題とする。
【課題を解決するための手段】
【０００７】
この発明は、縦方向および横方向と、身体側およびその反対側と、前ウエスト域、後ウエスト域および前記前後ウエスト域間に位置するクロッチ域を含むシャーシと、前記シャーシの前後端縁によって形成されたウエスト開口と、前記シャーシの両側縁によって形成されたレッグ開口と、少なくとも前記クロッチ域に位置する吸収体と、前記シャーシの前記身体側に位置し前記クロッチ域から前記前後ウエスト域へと延びて前記横方向に離間した一対のレッグカフとを有し、前記前後ウエスト域には、前記横方向に延びるとともに前記縦方向に離間した複数の前後ウエスト弾性体が伸長状態で収縮可能に取り付けられた使い捨て着用物品の改良に関わる。
【０００８】
この発明は、前記着用物品において、前記シャーシは、前記身体側に位置する内面シートと、前記反対側に位置する外面シートとを有し、前記内外面シートの間に前記ウエスト弾性体が取り付けられ、前記吸収体は、前記クロッチ域から前記前後ウエスト域に延在し、前記レッグカフは、前記シャーシに接合される第１側域と、前記第１側域に対向するとともに前記シャーシから離間可能な第２側域と、前記第２側域に伸長状態で収縮可能に取り付けられたカフ弾性体とを有し、前記前後ウエスト弾性体の少なくともいずれかは、前記吸収体の前記縦方向外側の前記シャーシに位置する第１弾性体と、前記横方向に沿って延び、前記縦方向に離間して複数取り付けられるとともに、前記横方向の中央部分が前記吸収体に重なる第２弾性体と、前記縦方向における離間寸法が前記第２弾性体よりも狭くなるように前記レッグ開口の少なくとも一部に沿って複数取り付けられ、少なくとも一部が前記横方向に沿って延びる第３弾性体とを有し、前記前後ウエスト域の少なくともいずれかは、前記第１弾性体が取り付けられた第１領域と、前記第３弾性体において前記横方向に沿って延びる部分が取り付けられた第３領域と、前記第１および第３領域の間に位置し、前記第２弾性体が取り付けられた第２領域とを有し、前記第１および第３領域の伸張応力は、前記第２領域のそれよりも大きく、前記カフ弾性体は、少なくとも前記第１領域まで延在し、前記第１領域において前記第２側域の端縁が前記内面シートに接合されることを特徴とする。
【０００９】
また、この発明は、前記着用物品において、前記シャーシは、前記身体側に位置する内面シートと、前記反対側に位置する外面シートとを有し、前記内外面シートの間に前記ウエスト弾性体が取り付けられ、前記吸収体は、前記クロッチ域から前記前後ウエスト域に延在し、前記レッグカフは、前記シャーシに接合される第１側域と、前記第１側域に対向するとともに前記シャーシから離間可能な第２側域と、前記第２側域に伸長状態で収縮可能に取り付けられたカフ弾性体とを有し、前記前後ウエスト弾性体の少なくともいずれかは、前記吸収体の前記縦方向外側の前記シャーシに位置する第１弾性体と、前記レッグ開口の少なくとも一部に沿って取り付けられ、少なくとも一部が前記横方向に沿って延びる第３弾性体とを有し、前記前後ウエスト域の少なくともいずれかは、前記第１弾性体が取り付けられた第１領域と、前記第３弾性体において前記横方向に沿って延びる部分が取り付けられた第３領域と、前記第１および第３領域の間に位置し、前記第３領域よりも前記縦方向の長さ寸法が大きく形成され、前記横方向に沿って延びる弾性体を有していない第２領域とを有し、前記第１および第３領域の伸張応力は、前記第２領域のそれよりも大きく、前記カフ弾性体は、少なくとも前記第１領域まで延在し、前記第２側域は、前記第１領域に重なる位置で前記内面シートに接合されることを特徴とする。
【００１１】
他の実施態様のひとつとして、前記第１領域および前記第３領域の伸張応力は、０．５〜３．０Ｎ、前記第２領域の伸張応力は、０．１〜１．５Ｎである。
【００１２】
他の実施態様のひとつとして、前記第１〜第３領域の前記吸収体を含む剛性は、０．０５〜１．００Ｎ・ｃｍである。
【００１３】
他の実施態様のひとつとして、前記吸収体は、吸液性の芯材を有し、少なくとも前記第３領域に重なる位置において前記芯材の量が他の部分よりも少なくされた減少部が形成される。
【発明の効果】
【００１４】
この発明は、特にそのひとつ以上の実施態様によれば、前後ウエスト域の少なくともいずれかにおいて、第２領域の伸張応力が、第１および第３領域の伸張応力よりも小さくされ、その両側がカフ弾性体によって縮められることによって、第２領域が着用物品の外側に膨んだカップ形状部を形成することができる。ウエスト弾性体は、内外面シートの間に取り付けられ、内面シートの身体側にカフ弾性体が取り付けられるので、これら弾性体が直接接触して重なることがなく、部分的に締め付け力が大きくなるのを防止することができる。
【図面の簡単な説明】
【００１５】
【図１】使い捨て着用物品の一例であるおむつの斜視図。
【図２】おむつの展開平面図。
【図３】図２のＩＩＩ−ＩＩＩ線模式断面図。
【図４】図２の分解組立図。
【発明を実施するための形態】
【００１６】
図１〜４は、この発明の一実施態様を示すものであり、着用物品として使い捨ておむつを例に挙げて説明する。図１は、おむつ１のウエスト開口５およびレッグ開口６が環状に保たれた状態の斜視図であり、図２は、おむつ１の身体側から見た展開平面図であって、おむつの各弾性体をその収縮力に抗して伸長させ、おむつ１を平面に保った状態を示したものである。図３は、図２のＩＩＩ−ＩＩＩ線断面図であり、各シート間を離間させて模式的に示している。図４は、図２の分解組立図である。
【００１７】
おむつ１は、縦方向Ｙおよび横方向Ｘと、身体側およびその反対側である着衣側と、前ウエスト域２、後ウエスト域３、前後ウエスト域２，３の間に位置するクロッチ域４とを含む。おむつ１は、前後ウエスト域２，３の両側縁７を互いに接合することによって、横方向Ｘに延びる前後端縁８，９でウエスト開口５が形成され、クロッチ域４に位置する両側縁７でレッグ開口６が形成される。また、おむつ１は、横方向Ｘの長さ寸法を二等分する仮想縦中心線Ｐ−Ｐと、縦方向Ｙの長さ寸法を二等分する仮想横中心線Ｑ−Ｑとを有し、仮想縦中心線Ｐ−Ｐに対してほぼ対称に形成されている。両側縁７は、クロッチ域４において、仮想縦中心線Ｐ−Ｐに向かって、その横方向Ｘの長さ寸法が小さくなるように湾曲されている。
【００１８】
おむつ１は、前後ウエスト域２，３およびクロッチ域４を有するシャーシ１０と、シャーシ１０の身体側に位置するとともにクロッチ域４から前後ウエスト域２，３に延びる吸収体３０と、レッグカフ４０とを有する。
【００１９】
シャーシ１０は、前後ウエスト域２，３の一部をそれぞれ形成し、着衣側に位置する前後外面シート１１，１２と、前後外面シート１１，１２の内面側であってその一部に重なり、前後ウエスト域２，３の一部とクロッチ域４とを形成する内面シート１３とを有する。前後外面シート１１，１２は、縦方向Ｙに離間し、これらシート１１，１２を連結するように内面シート１３が配置されている。前後外面シート１１，１２および内面シート１３として、疎水性のスパンボンド繊維不織布、ＳＭＳ（スパンボンド・メルトブローン・スパンボンド）繊維不織布等を用いることができる。
【００２０】
前外面シート１１は、横方向Ｘに延びる内外端縁１１ａ，１１ｂと、縦方向Ｙに延びる両側縁１１ｃとを有し、全体的にほぼ矩形にされている。後外面シート１２は、横方向Ｘに延びる内外端縁１２ａ，１２ｂと、縦方向Ｙに延びる両側縁１２ｃとを有し、前後外面シート１１，１２の外端縁１１ｂ，１２ｂを互いに重ね合わせたときに、後外面シート１２の内端縁１２ａが前外面シート１１の内端縁１１ａから延出する寸法関係を有している。この延出した領域はほぼ台形にされている。
【００２１】
前後外面シート１１，１２および内面シート１３の間には、前外面シート１１に接合される前漏れ防止シート１４と、後外面シート１２に接合される後漏れ防止シート１５と、これら前後漏れ防止シート１４，１５の縦方向Ｙの間に位置し内面シート１３に接合されるクロッチ漏れ防止シート１６とを有し、クロッチ漏れ防止シート１６の着衣側には被覆シート１７が接合されている。これら漏れ防止シート１４，１５，１６として、疎水性かつ透湿性のプラスチックフィルム等を用いることができ、おむつ１から尿等が漏れるのを防止することができる。クロッチ漏れ防止シート１６と被覆シート１７とは、ほぼ同形同大とされ、被覆シート１７として疎水性繊維不織布等を用いることができる。前後漏れ防止シート１４，１５の外面を前後外面シート１１，１２で覆い、クロッチ漏れ防止シート１６の外面を被覆シート１７で覆うことによって、おむつ１の着衣側の肌触りを向上させることができる。各シートを互いに接合する接合手段として、例えば、ホットメルト接着剤を用いることができる。
【００２２】
前外面シート１１と内面シート１３との間には、横方向Ｘに伸長状態で収縮可能に延びる複数本の前ウエスト弾性体１８が取り付けられている。後外面シート１２と内面シート１３との間には、後ウエスト弾性体１９が取り付けられている。これら前後ウエスト弾性体１８，１９は、縦方向Ｙに離間して配置され、前後外面シート１１，１２および内面シート１３の少なくともいずれか一方にホットメルト接着剤等の接合手段によって接合されている。
【００２３】
前後外面シート１１，１２の縦方向Ｙ外側には、それぞれ前後開口シート２１，２２が接合されている。前開口シート２１は、前外面シート１１の外端縁１１ｂに接合され、後開口シート２２は、後外面シート１２の外端縁１２ｂに接合される。前後開口シート２１，２２は、境界線２３を介して外面側に位置する第１シート部２４，２５と、内面側に位置する第２シート部２６，２７とを有している。すなわち、前後開口シート２１，２２は、境界線２３を介して折り畳まれ、第１シート部２４，２５と第２シート部２６，２７とが積層されている。境界線２３によってウエスト開口５が形成され、シャーシ１０の前後端縁８，９が形成される（図１参照）。第１シート部２４，２５と第２シート部２６，２７との間には、複数本の前後開口弾性体２８，２９が横方向Ｘに伸長状態で収縮可能に取り付けられている。前後開口弾性体２８，２９は、縦方向Ｙに離間して、第１シート部２４，２５および第２シート部２６，２７の少なくともいずれか一方にホットメルト接着剤等の接合手段によって接合されている。
【００２４】
この実施形態では、前開口シート２１の境界線２３から前外面シート１１の内端縁１１ａまでが前ウエスト域２とされ、後開口シート２２の境界線２３から後外面シート１２の内端縁１２ａまでが後ウエスト域３とされている。また、内端縁１１ａおよび内端縁１２ａ間がクロッチ域４とされている。
【００２５】
内面シート１３の内面側には、吸収体３０が取り付けられている。吸収体３０は、フラッフパルプや超吸収ポリマー粒子等、またはこれらの混合物によって構成された芯材を有し、ティッシュペーパ等の透液性シート３１で覆われている。さらに、吸収体３０の吸収面側には身体側ライナ３２が取り付けられている。身体側ライナ３２は、エアスルー不織布やスパンボンド不織布等の透液性の繊維不織布を用いることができる。吸収体３０には、縦方向Ｙに延びるとともに、その周囲の領域よりも芯材の量が少なくされた減少部３３が形成されている。具体的には、減少部３３は、芯材が部分的に除去された複数条のスリットによって形成されている。したがって、減少部３３では、芯材がほとんど存在せず、これら減少部３３に沿って吸収体３０が折れ曲がり、着用者の身体に密着しやすくすることができる。また、減少部３３の形成によって、芯材の吸収面が増大し、速やかな尿等の吸収が可能となる。
【００２６】
吸収体３０と内面シート１３との間には、一対のレッグカフ４０が取り付けられている。レッグカフ４０は、横方向Ｘに離間してそれぞれ取り付けられ、縦方向Ｙに延びている。レッグカフ４０は、横方向Ｘ内側に位置する第１側域４１と、外側に位置する第２側域４２とを有する。第１側域４１は、吸収体３０と内面シート１３との間に位置し、これらの間でホットメルト接着剤等の接着手段によって接合されている。第２側域４２は、吸収体３０の横方向Ｘの外側に延出され、内面シート１３に接合されることなく縦方向Ｙに延びるとともに、縦方向Ｙに伸長状態で収縮可能なカフ弾性体４３が複数本取り付けられている。レッグカフ４０の前後端縁４４，４５は、内面シート１３にホットメルト接着剤等の接合手段により接合されている。このようなレッグカフ４０において、カフ弾性体４３の収縮によって、第２側域４２が内面シート１３から起立するように離間して、着用者の鼠蹊部近傍に密着し、尿等の漏れを防止することができる。
【００２７】
上記のようなおむつ１において、前ウエスト弾性体１８は、吸収体３０の前端縁３０ａの縦方向Ｙ外側に位置する複数本の第１弾性体１８ａと、第１弾性体１８ａの縦方向Ｙ内側に位置し、少なくともその横方向Ｘの中央部分が吸収体３０に重なる複数本の第２弾性体１８ｂと、第２弾性体１８ｂの縦方向Ｙ内側に位置し、少なくともその横方向Ｘの中央部分が吸収体３０に重なる複数本の第３弾性体１８ｃとを有する。具体的に、第１弾性体１８ａは、前外面シート１１の外端縁１１ｂから吸収体３０の前端縁３０ａの間に配置され、第３弾性体１８ｃは、内端縁１１ａに沿って配置され、第２弾性体１８ｂは、これら第１および第３弾性体１８ａ，１８ｃの間に配置されている。前ウエスト域２は、第１弾性体１８ａが取り付けられた第１領域２ａと、第２弾性体１８ｂが取り付けられた第２領域２ｂと、第３弾性体１８ｃが取り付けられた第３領域２ｃとが、それぞれ隣接して画成される。少なくとも第３領域２ｃには、クロッチ域４から延びる減少部３３の一部が重なっている。
【００２８】
この実施形態において、第１領域２ａの縦方向Ｙの長さ寸法は約６５ｍｍとされている。この第１領域２ａの伸張応力は、約０．５〜３．０Ｎであり、この実施形態では約０．９５Ｎとされている。第１弾性体１８ａは、約６２０ｄｔｅｘの弾性糸が伸長倍率約１．８〜２．５倍、ピッチ約１０〜１５ｍｍで５本取り付けられている。第２領域２ｂの縦方向Ｙの長さ寸法は約６０ｍｍとされている。この第２領域２ｂの伸張応力は、約０．１〜１．５Ｎであり、この実施形態では約０．６３Ｎとされている。第２弾性体１８ｂは、約６２０ｄｔｅｘの弾性糸が伸長倍率約１．８倍、ピッチ約１２ｍｍで５本取り付けられている。第３領域２ｃの縦方向Ｙの長さ寸法は約２５ｍｍとされている。この第３領域２ｃの伸張応力は、約０．５〜３．０Ｎであり、この実施形態では約０．６７Ｎとされている。第３弾性体１８ｃは、約６２０ｄｔｅｘの弾性糸が伸長倍率約１．８倍、ピッチ約５ｍｍで４本取り付けられている。
【００２９】
伸張応力は、以下の方法によって測定した。
おむつは１、シャーシ１０から吸収体３０を剥離し、各領域を所定の寸法に切り取ってサンプルとして用いた。第１領域２ａでは、横方向Ｘの長さ寸法１５０ｍｍ、縦方向Ｙの長さ寸法６５ｍｍ、第２領域２ｂでは、横方向Ｘの長さ寸法１５０ｍｍ、縦方向Ｙの長さ寸法６０ｍｍ、第３領域２ｃでは、横方向Ｘの長さ寸法１５０ｍｍ、縦方向Ｙの長さ寸法２５ｍｍをサンプルとして用いた。各サンプルは、温度約２０〜２３℃、湿度約６０〜６５％ＲＨの恒温恒湿にて弾性体の弛緩状態で２４時間放置後、引っ張り試験機（インストロンジャパン カンパニイリミテッド製）を用いて測定した。
【００３０】
各サンプルには、横方向Ｘにおいて一定寸法（Ａｍｍ）のマーキングをし、マーキング位置に合わせてサンプルをチャックに挟む。サイクルモードを２サイクル、速度１００ｍｍ／ｍｉｎとして、マーキングした寸法（Ａｍｍ）に対して、９０％長さ（Ｂｍｍ）までサンプルを伸長させる。チャック間距離がＢｍｍの地点（Ｂ地点）で反転させ、２サイクル目のＢ地点での荷重を測定し、その８５％を伸張応力としている。各サンプルにおける測定は複数回おこなわれ、その平均値をこの実施形態の伸張応力としている。
【００３１】
第１〜第３領域２ａ〜２ｃの縦方向Ｙの剛性値は、約０．０８〜１．００Ｎ・ｃｍ、この実施形態では約０．１３Ｎ・ｃｍであり、第１および第２領域２ａ，２ｂの横方向Ｘの剛性値は約０．０８〜１．００Ｎ・ｃｍ、この実施形態では約０．１１Ｎ・ｃｍであり、第３領域２ｃの横方向Ｘの剛性値は約０．０５〜１．００Ｎ・ｃｍ、この実施形態では約０．０７Ｎ・ｃｍである。
【００３２】
剛性値は、以下の方法により測定した。
剛性はテーバー法により、テーバースティフネフテスター（株式会社  安田精機製作所製）を用い測定した。サンプルは、シャーシ１０および吸収体３０を含むとともに、縦方向Ｙの長さ寸法を約７０ｍｍ、横方向Ｘの長さ寸法を約３８．１ｍｍに切り取って用いた。サンプルの厚さ方向の長さ寸法（Ｃ）を測定し、このサンプルをチャック中心に触れる程度に挟む。支持ローラとサンプルの間隔を長さ寸法（Ｃ）×０．０８（ｍｍ）に調整し、補助重りをかぶせる。サンプルを左右両方向に回転させ、１５度支持刻線と振り子の中心刻とが一致した点で、左側（Ｄ）および右側（Ｅ）の目盛りを読み取る。剛性は、（Ｄ）＋（Ｅ）／２×（補助重りの数値）／１０００×９．８０７によって求められる。測定は複数回おこなわれ、その平均値をこの実施形態の剛性値としている。
【００３３】
後ウエスト弾性体１９は、吸収体３０の後端縁３０ｂの縦方向Ｙ外側に位置する複数本の第１弾性体１９ａと、第１弾性体１９ａの縦方向Ｙ内側に位置し、少なくとも横方向Ｘの中央部分が吸収体３０に重なる複数本の第２弾性体１９ｂと、第２弾性体１９ｂの縦方向Ｙ内側に位置し、少なくとも横方向Ｘの中央部分が吸収体３０に重なる複数本の第３弾性体１９ｃとを有する。具体的に、第１弾性体１９ａは、後外面シート１２の外端縁１２ｂから吸収体３０の後端縁３０ｂの間に配置され、第３弾性体１９ｃは、内端縁１２ａに沿って配置され、第２弾性体１９ｂは、これら第１および第３弾性体１９ａ，１９ｃの間に配置されている。後ウエスト域３は、第１弾性体１９ａが取り付けられた第１領域３ａと、第２弾性体１９ｂが取り付けられた第２領域３ｂと、第３弾性体１９ｃが取り付けられた第３領域３ｃとが、それぞれ隣接して画成される。第３領域３ｃは、少なくとも第３弾性体１９ｃと吸収体３０との重なる領域を有するものである。第３領域３ｃには、クロッチ域４から延びる減少部３３の一部が重なっている。
【００３４】
この実施形態において、第１領域３ａの縦方向Ｙの長さ寸法は約５０ｍｍとされている。この第１領域３ａの伸張応力は、約０．５〜３．０Ｎであり、この実施形態では約０．７４Ｎとされている。第１弾性体１９ａは、約６２０ｄｔｅｘの弾性糸が伸長倍率約１．８〜２．５倍、ピッチ約１２〜１５ｍｍで４本取り付けられている。第２領域３ｂの縦方向Ｙの長さ寸法は約１４５ｍｍとされている。この第２領域３ｂの伸張応力は、約０．１〜１．５Ｎであり、この実施形態では約０．６７Ｎとされている。第２弾性体１９ｂは、約６２０ｄｔｅｘの弾性糸が伸長倍率約１．４〜１．８倍、ピッチ約７〜１２ｍｍで６本取り付けられている。第３領域３ｃの縦方向Ｙの長さ寸法は約２５ｍｍとされている。この第３領域３ｃの伸張応力は、約０．５〜１．５Ｎであり、この実施形態では約０．５３Ｎとされている。第３弾性体１９ｃは、約６２０ｄｔｅｘの弾性糸が伸長倍率約１．４、ピッチ約５ｍｍで４本取り付けられている。伸張応力は、前ウエスト域２と同様の方法によって測定した。ただし、第２領域３ｂにおいて、第２弾性体１９ｂは、第１領域３ａ側に偏倚して取り付けられ、弾性体が取り付けられた部分の伸張応力を測定している。
【００３５】
第１〜第３領域３ａ〜３ｃの縦方向Ｙの剛性値は、約０．０８〜１．００Ｎ・ｃｍ、この実施形態では約０．１３Ｎ・ｃｍであり、第１および第２領域３ａ，３ｂの横方向Ｘの剛性値は約０．０８〜１．００Ｎ・ｃｍ、この実施形態では約０．１１Ｎ・ｃｍであり、第３領域３ｃの横方向Ｘの剛性値は約０．０５〜１．００Ｎ・ｃｍ、この実施形態では約０．０７Ｎ・ｃｍである。剛性値は、前ウエスト域２と同様の方法によって測定した。
【００３６】
レッグカフ４０の第２側域４２に取り付けられたカフ弾性体４３は、クロッチ域４から前後ウエスト域２，３に延びるとともに、その前後端部４３ａ，４３ｂは、前後ウエスト域２，３の第２および第３領域２ｂ，２ｃ，３ｂ，３ｃを越えて第１領域２ｂ，３ｂにまで延在されている。すなわち、前後端部４３ａ，４３ｂは、吸収体３０の前後端縁３０ａ，３０ｂよりも縦方向Ｙ外側に位置されている。また、第２側域４２であってその前後端縁４４，４５は、内面シート１３に接合されて、これによって、カフ弾性体４３の前後端部４３ａ，４３ｂも内面シート１３に接合される。カフ弾性体４３と前後ウエスト弾性体１８，１９とは、内面シート１３を介して間接的に互いに重なり、換言すれば、直接接触して重なることはない。カフ弾性体４３として、約６２０ｄｔｅｘの弾性糸が伸長倍率約２．５倍、ピッチ約５ｍｍで２本取り付けられている。
【００３７】
上記のようなおむつ１では、前ウエスト域２の第１および第３領域２ａ，２ｃの伸張応力は、第２領域２ｂのそれよりも大きく、同様に、後ウエスト域３においても第１および第３領域３ａ，３ｃの伸張応力は、第２領域３ｂよりも大きくされているから、前後ウエスト域２，３の第２領域２ｂ，３ｂの縦方向Ｙ外側の第１および第３領域２ａ，２ｃ，３ａ，３ｃでは、第１および第３弾性体１８ａ，１８ｃ，１９ａ，１９ｃの収縮によって、より強く締め付けられる。また、第１〜第３領域２ａ〜２ｃ，３ａ〜３ｃには、縦方向Ｙにカフ弾性体４３の収縮力が作用する。すなわち、第２領域２ｂ，３ｂの周囲が各弾性体によって収縮され、前後ウエスト域２，３では、特におむつ１の着用時において、第２領域２ｂ，３ｂが外側に突出するようなカップ形状部５０が形成される（図１参照）。
【００３８】
前後ウエスト域２，３にカップ形状部５０が形成されると、排泄物をカップ形状部５０で一時的に保持することができるから、カップ形状部５０に位置する吸収体３０で確実にその水分を吸収することができ、これがおむつ１から漏れるのを防止することができる。特に、大量の水分を含む排泄物が排泄された場合には、その全てを瞬時に吸収体３０で吸収することが困難であり、おむつ１から漏れてしまう可能性もあるが、この発明では、カップ形状部５０の形成によってこれを確実に防止することができる。また、カップ形状部５０が形成されることで、第２領域２ｂ，３ｂの内面シート１３が着用者の身体から離間され、おむつ１内の通気性を向上させることができるから、おむつ１内の蒸れを防止し、着用者のかぶれを防止することもできる。
【００３９】
カフ弾性体４３と、前後ウエスト弾性体１８，１９とは、直接交差することがないので、交差した部分で締め付け力が大きくなり、着用者の身体に強く当たってしまうというのを防止することができる。したがって、このおむつ１では、弾性の取り付け部分において、部分的に着用者に強く接触し、刺激を与えるのを防止することができる。
【００４０】
吸収体３０には、減少部３３が形成されているから、この減少部３３に沿って吸収体３０が湾曲しやすく、より一層カップ形状部５０を形成しやすい。また、減少部３３によって吸収面積を増大することができるので、その分、排泄物の速やかな吸収が可能となる。さらに、減少部３３によって、第３領域２ｃ，３ｃの横方向Ｘの剛性を小さくすることができるので、第３弾性体１８ｃ，１９ｃによって、第３領域２ｃ，３ｃを収縮しやすく、特にカップ形状部５０の下端を確実に形成するとともに、着用者に身体に密着させることとができる。したがって、カップ形状部５０の下端から尿等が漏れ難く、確実にカップ形状部５０に保持することができる。
【００４１】
おむつ１において、吸収体３０が重なる位置において、その縦方向Ｙの剛性値を約０．０８〜１．００Ｎ・ｃｍとし、横方向Ｘの剛性値を約０．０５〜１．００Ｎ・ｃｍとしているが、縦方向Ｙおよび横方向Ｘのいずれにおいても、約０．０５〜１．００Ｎ・ｃｍとすることができ、それぞれの剛性値が等しくなるようにすることもできる。この実施形態では、吸収体３０に減少部３３を形成したことにより、横方向Ｘの剛性値が縦方向Ｙのそれに比べて低くなっている。剛性値が０．０５Ｎ・ｃｍよりも小さい場合には、形成されたカップ形状部５０が前後ウエスト弾性体１８，１９の収縮力によりつぶれてしまい、１．００Ｎ・ｃｍよりも大きい場合には第１および第３領域が収縮せずに、カップ形状部５０が形成されにくい。
【００４２】
第３弾性体１８ｃ，１９ｃが、前後外面シート１１，１２の外端縁１１ｂ，１２ｂに沿って取り付けられる。これら外端縁１１ｂ，１２ｂは、レッグ開口６の一部を形成するので、レッグ開口６を着用者の脚周りに密着させることができ、レッグ開口６からの排泄物の漏れを防止することができる。
【００４３】
カップ形状部５０は、前後ウエスト域２，３のいずれか一方に形成されていればよい。また、第２領域２ｂ，３ｂには、弾性体が取り付けられない場合であってもよい。すなわち、第２領域２ｂ，３ｂの伸張応力が第１および第３領域２ａ，２ｃ，３ａ，３ｃのそれよりも小さくなることによってカップ形状部５０が形成されるから、この条件に当てはまる限り、第２領域２ｂ，３ｂに弾性体がなくてもよい。ただし、第２領域２ｂ，３ｂに弾性体が取り付けられることによって、着用状態によってはこの第２領域２ｂ，３ｂが着用者の肌に接触し尿等を吸収することも可能となる。また、第１および第３領域の伸張応力が、それぞれほぼ等しくなるようにしているが、第２領域よりも小さければよい。
【００４４】
第１〜第３領域の縦方向Ｙの長さ寸法は、この実施形態に記載されたものに限られることなく、また、各弾性体の本数、ピッチ、太さ等は、この実施形態に記載されたものに限られることなく、カップ形状部が形成される限りにおいて適宜変更可能である。
【００４５】
前後開口シート２１，２２が取り付けられているが、これが取り付けられることなく、シャーシ１０が前後外面シート１１，１２と内面シート１３とで構成されているものであってもよい。おむつ１の前後外面シート１１，１２は、縦方向Ｙに離間されているが、これが離間されず、連続しているものであってもよい。また、この実施形態では、前後ウエスト域２，３の両側縁７が互いに接合された、いわゆるプルオンパンツ型のおむつについて説明しているが、両側縁があらかじめ接合されていない、いわゆるオープン型のおむつに適用することも可能である。
【００４６】
おむつ１を構成する各構成部材には、本明細書に記載されている材料のほかに、この種の分野において通常用いられている、各種の公知の材料を制限なく用いることができる。
本発明の明細書および特許請求の範囲において、用語「第１」および「第２」は、同様の要素、位置等を単に区別するために用いられている。
【符号の説明】
【００４７】
１    おむつ（使い捨て着用物品）
２    前ウエスト域
３    後ウエスト域
４    クロッチ域
５    ウエスト開口
６    レッグ開口
７    両側縁
８    前端縁
９    後端縁
１０    シャーシ
１１    前外面シート（外面シート）
１２    後外面シート（外面シート）
１３    内面シート
１８    前ウエスト弾性体
１８ａ  第１弾性体
１８ｂ  第２弾性体
１８ｃ  第３弾性体
１９    後ウエスト弾性体
１９ａ  第１弾性体
１９ｂ  第２弾性体
１９ｃ  第３弾性体
３０    吸収体
３３    減少部
４０    レッグカフ
４１    第１側域
４２    第２側域
４３    カフ弾性体
Ｘ    横方向
Ｙ    縦方向
【図１】
0005530252.tif 000002
【図２】
0005530252.tif 000003
【図３】
0005530252.tif 000004
【図４】
0005530252.tif 000005